(57)【特許請求の範囲】
【請求項１】
表示面上に画像を表示する表示部と、
前記表示面に平行な出射面を有し、前記出射面に平行な面内で光を導く導光板と、
前記導光板によって導かれている光を偏向して前記出射面から出射させることで、前記表示部の前記表示面上及び前記表示面とは反対側の空間上に、前記表示面から前記表示面とは反対側の空間まで延びる像を形成する偏向部と
を備え、
前記導光板は、前記表示部の前記表示面側に設けられ、
前記偏向部は、前記表示面から前記表示面とは反対側の空間上の１つの収束点又は収束線から実質的に発散する方向の出射光を前記出射面から出射させる光学面をそれぞれ有する複数の光収束部を有し、
前記複数の光収束部は、前記出射面に平行な面内でそれぞれ予め定められた線に沿って、前記出射面とは反対側の背面側に形成され、
前記収束点又は収束線は前記複数の光収束部の間で互いに異なり、複数の前記収束点又は収束線の集まりによって、前記像が形成され、
前記表示部に表示された画像は、前記導光板を通じて前記導光板の前記出射面側に提示される
表示装置。
【請求項２】
表示面上に画像を表示する表示部と、
前記表示面に平行な出射面を有し、前記出射面に平行な面内で光を導く導光板と、
前記導光板によって導かれている光を偏向して前記出射面から出射させることで、前記表示部の前記表示面上及び前記表示面とは反対側の空間上に、前記表示面から前記表示面とは反対側の空間まで延びる像を形成する偏向部と
を備え、
前記導光板は、前記表示部の前記表示面側に設けられ、
前記偏向部は、前記表示面から前記表示面とは反対側の空間上の１つの収束点又は収束線から実質的に発散する方向の出射光を前記出射面から出射させる光学面をそれぞれ有する複数の光収束部を有し、
前記複数の光収束部は前記出射面とは反対側の背面側に形成され、前記偏向部は２眼式又は多眼式の視差画像を前記導光板上に形成し、
前記収束点又は収束線は前記複数の光収束部の間で互いに異なり、複数の前記収束点又は収束線の集まりによって、前記像が形成され、
前記表示部に表示された画像は、前記導光板を通じて前記導光板の前記出射面側に提示される
表示装置。
【請求項３】
前記表示面は、オブジェクトが表示される第１の表示領域と、前記第１の表示領域の外側の第２の表示領域とを含み、
前記第２の表示領域に、前記第１の表示領域内の前記オブジェクト以外の領域である背景領域よりシャープネスが高い画像を表示する
請求項１又は２に記載の表示装置。
【請求項４】
前記像は、前記第１の表示領域と前記第２の表示領域との境界から、前記表示面とは反対側の空間まで延びる
請求項３に記載の表示装置。
【請求項５】
前記像は、前記表示面上における前記第１の表示領域と前記第２の表示領域との境界に形成される第１の境界像を含む
請求項３又は４に記載の表示装置。
【請求項６】
前記像は、前記表示面とは反対側の空間に形成される第２の境界像を含み、
前記第２の境界像は、前記出射面に平行な面内において、前記表示面上における前記第１の表示領域と前記第２の表示領域との境界と同じ位置又は当該境界より内側に、形成される
請求項３から５のいずれか１項に記載の表示装置。
【請求項７】
前記表示部は、前記オブジェクトを、前記表示面上における前記第１の表示領域と前記第２の表示領域との境界に重ならないように前記第１の表示領域内に表示する
請求項３から６のいずれか１項に記載の表示装置。
【請求項８】
前記表示部は、前記像が前記表示面とは反対側の空間に形成されている場合に、前記像が前記表示面とは反対側の空間に形成されていない場合より、前記オブジェクトを大きく表示する
請求項３から６のいずれか一項に記載の表示装置。
【請求項９】
請求項１から８のいずれか一項に記載の表示装置を備える遊技機。
【発明の詳細な説明】
【技術分野】
【０００１】
本発明は、表示装置及び遊技機に関する。
【背景技術】
【０００２】
奥行き位置の異なる複数の表示面にそれぞれ二次元像を表示して、三次元立体像を生成する三次元表示方法が知られている（例えば、特許文献１参照。）。
特許文献１  特開２０００−２１４４１３号公報
【発明の概要】
【発明が解決しようとする課題】
【０００３】
奥行き感のある像を表示するために、大きな空間が必要となる場合がある。例えば、表示装置までの距離を長くする必要が生じる場合がある。また、表示装置が大型化する場合がある。
【課題を解決するための手段】
【０００４】
本発明の第１の態様によると、表示装置は、表示面上に画像を表示する表示部と、表示面に平行な出射面を有し、出射面に平行な面内で光を導く導光板と、導光板によって導かれている光を偏向して出射面から出射させることで、表示部の表示面とは反対側の空間上に、表示面の近傍から延びる像を形成する偏向部とを備え、収束点又は収束線は複数の光収束部の間で互いに異なり、複数の収束点又は収束線の集まりによって、表示部の表示面とは反対側の空間上に、表示面の近傍から延びる像が形成される。
【０００５】
本発明の第２の態様によると、遊技機は、上記の表示装置を備える。
【０００６】
なお、上記の発明の概要は、本発明の特徴の全てを列挙したものではない。また、これらの特徴群のサブコンビネーションもまた、発明となりうる。
【図面の簡単な説明】
【０００７】
【図１】一実施形態における表示装置１０により提示される像を概略的に示す。
【図２】表示装置１０の斜視分解図を、空間上に投影される立体像６と共に概略的に示す。
【図３】表示装置１０のＡＡ断面を概略的に示す。
【図４】表示装置１０のＢＢ断面を概略的に示す。
【図５】表示装置１０によるオブジェクト２４０の表示効果を説明する図である。
【図６】表示装置１０を備える遊技機９０を概略的に示す正面図である。
【図７】表示装置１０の変形例としての表示装置１０Ａを示す。
【図８】表示装置１０の変形例としての表示装置１０Ｂを示す。
【図９】表示装置１０の変形例としての表示装置１０Ｃを示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一実施形態における表示装置１０により提示される像を概略的に示す。図２は、表示装置１０の斜視分解図を、空間上に投影される立体像６と共に概略的に示す。図３は、表示装置１０のＡＡ断面を概略的に示す。図４は、表示装置１０のＢＢ断面を概略的に示す。なお、分かり易く説明することを目的として、実施形態の説明に用いる図は概略的又は模式的なものとする。実施形態の説明に用いる図は、実際のスケールで描かれていない場合がある。
【００１０】
表示装置１０は、表示部１００と、表示部２００とを有する。表示部２００は、例えば液晶表示装置等である。なお、表示部２００は液晶表示装置に限られない。表示部２００として、プロジェクタ装置のスクリーン等を適用できる。表示部２００は、表示面２０１及び背面２０２を有する。背面２０２は、表示面２０１とは反対側の面である。表示部２００は、表示面２０１上に画像を表示する。表示面２０１は、観察者に観察される面である。
【００１１】
表示部２００は、オブジェクト２４０を表示する。例えば、表示部２００は、表示部２００の表示面２０１内を移動するオブジェクト２４０を表示する。表示部２００の表示面２０１は、表示領域２４１と、表示領域２４２とを有する。表示面２０１は、オブジェクト２４０が表示される表示領域２４１と、表示領域２４１の外側の表示領域２４２とを含む。
【００１２】
表示部１００は、表示部２００の表示面２０１側に設けられる。表示部１００は、透光性を有する。表示部１００は、光を出射する出射面７１を有する。出射面７１は、表示部２００の表示面２０１に平行に設けられる。出射面７１は、表示部２００の表示面２０１に対向して設けられる。表示部２００に表示された画像は、表示部１００を通じて表示部１００の出射面７１側に提示される。なお、表示部１００は表示部２００の表示面２０１側に設けられているので、表示部２００は透光性を有していなくてよい。
【００１３】
表示部１００は、導光板７０と、光源２０とを備える。表示装置１０は、光源２０からの光により、立体像として認識される像６を形成する。表示部１００は、出射面７１から出射する光によって、立体像としての像６を形成する。像６は、ユーザによって空間上に認識される立体像である。なお、立体像とは、表示部１００の出射面７１とは異なる位置にあるように認識される像をいう。立体像とは、例えば、表示部１００の出射面７１から離れた位置に認識される２次元像も含む。つまり、立体像とは、立体的な形状として認識される像だけでなく、表示部１００の表示面上とは異なる位置に認識される２次元的な形状の像も含む概念である。
【００１４】
像６は、前側像６１と、後側像６２と、接続線６３及び接続線６４を含む複数の接続線を含む。前側像６１は、表示部２００の表示面２０１の近傍に形成される像である。前側像６１は、表示領域２４１と表示領域２４２との境界に形成される。前側像６１は、矩形の枠線状の像である。前側像６１は、表示面２０１上における表示領域２４１と表示領域２４２との境界に形成される境界像の一例である。
【００１５】
図３又は図４に示されるように、後側像６２は、表示部２００の表示面２０１とは反対側の空間に形成される像である。後側像６２は、矩形の枠線状の像である。後側像６２は、表示部２００の表示面２０１とは反対側の空間に形成される境界像の一例である。例えば図１に示されるように、後側像６２は、出射面７１に平行な面内において、表示面２０１上における表示領域２４１と表示領域２４２との境界より内側に、形成される。
【００１６】
接続線６３は、前側像６１と後側像６２とを接続する。同様に、接続線６４は、前側像６１と後側像６２とを接続する。
【００１７】
このように、像６は、表示部２００の表示面２０１から、表示部２００の表示面２０１とは反対側の空間まで延びる。像６を形成することで、観察者には、表示部２００の表示面２０１上に形成されるオブジェクト２４０が、あたかも表示部２００より手前に飛び出しているかのように認識され得る。この理由については後述する。なお、像６は、出射面７１に投影した場合に奥行き感のある形状のとして認識され得る形状を持つことによって立体的に認識されるわけではなく、空間上の点から発散する光を模した光で像６を形成することで、立体像として認識されるものである。
【００１８】
まず、表示部１００の構成について説明する。表示部１００は、導光板７０と、光源２０とを備える。導光板７０は、透明で屈折率が比較的に高い樹脂材料で成形される。導光板７０を形成する材料は、例えばポリカーボネート樹脂（ＰＣ）、ポリメチルメタクリレート樹脂（ＰＭＭＡ）、ガラス等であってよい。
【００１９】
導光板７０は、出射面７１とは反対側の背面７２とを有する。また、導光板７０は、導光板７０の四方の端面である端面７３、端面７４、端面７５及び端面７６を有する。端面７３は、導光板７０の入光端面である。端面７３には光源２０が設けられ、光源２０からの光は、端面７３から導光板７０に入射する。端面７４は、端面７３とは反対側の面である。端面７６は、端面７５とは反対側の面である。導光板７０は、光源２０からの光を出射面７１に平行な面内で面状に広げて導く。
【００２０】
なお、実施形態の説明及び図において、ｘ軸、ｙ軸及びｚ軸の右手系の直交座標系を用いる場合がある。ｚ軸方向を、出射面７１に垂直な方向で定める。背面７２から出射面７１への向きをｚ軸プラス方向と定める。また、ｙ軸方向を、端面７３に垂直な方向で定める。端面７３から端面７４への向きをｙ軸プラス方向と定める。ｘ軸は、端面７５及び端面７６に垂直な方向であり、端面７５から端面７６への向きをｘ軸プラス方向と定める。なお、記載が冗長にならないよう、ｘｙ平面に平行な面のことをｘｙ面、ｙｚ平面に平行な面のことをｙｚ面、ｘｚ平面に平行な面のことをｘｚ面と呼ぶ場合がある。
【００２１】
光源２０は、例えばＬＥＤを有する。光源２０の光軸は、ｙ軸方向に実質的に平行である。光源２０からの光は、導光板７０への入射光として端面７３に入射する。図３に示されるように、導光板７０は、端面７３からの入射光を、出射面７１に平行な面内で導く。
【００２２】
導光板７０の背面７２には、光収束部３０ａ、光収束部３０ｂ及び光収束部３０ｃを含む複数の光収束部３０が形成されている。光収束部３０は、導光板７０によって導かれている光を偏向して出射面７１から出射させることで、表示部２００の表示面２０１とは反対側の空間上に、表示面２０１の近傍から延びる像を形成する偏向部の一例である。光収束部３０はｘ軸方向に実質的に連続して形成されている。光収束部３０のｘ軸方向の各位置には、導光板７０によって導かれている光が入射する。
【００２３】
ここで、導光板７０によって導かれる光がｙｚ面に沿う方向に広がりを有しないものとして説明する。なお、本明細書において、導光板内外の点を通過する光束の広がりとは、当該光がその点から発散する光とみなした場合の光の広がりのことをいう。また、導光板内外の点を通過する光束の広がりのことを、単に光の広がりと呼ぶ場合がある。また、光の広がり角とは、導光板内外の点における角度方向の光強度分布において、光強度が最大値の半分となる位置の幅（半値全幅）により評価されてよい。
【００２４】
光収束部３０は、光収束部３０の各位置に入射した光を、光収束部３０にそれぞれ対応する定点に実質的に収束させる。図２には、光収束部３０の一部として、光収束部３０ａ、光収束部３０ｂ及び光収束部３０ｃが特に示され、光収束部３０ａ、光収束部３０ｂ及び光収束部３０ｃのそれぞれにおいて、光収束部３０ａ、光収束部３０ｂ及び光収束部３０ｃのそれぞれから出射された複数の光線が、光収束部３０ａ、光収束部３０ｂ及び光収束部３０ｃのそれぞれに対応する点からそれぞれ発散する光束を形成する様子が示されている。
【００２５】
具体的には、光収束部３０ａは、像６上の定点ＰＡに対応する。例えば図４に示されるように、光収束部３０ａの各位置からの光線は、定点ＰＡから発散する方向の光線となる。したがって、光収束部３０ａからの光の波面は、定点ＰＡから発するような光の波面となる。光収束部３０ｂは、像６上の定点ＰＢに対応する。同様に、光収束部３０ｂからの各位置からの光線は、定点ＰＢから発散する方向の光線となり、光収束部３０ｂからの光の波面は、定点ＰＢから発するような光の波面となる。また、光収束部３０ｃからの各位置からの光線は、定点ＰＣから発散する方向の光線となり、光収束部３０ｃからの光の波面は、定点ＰＣから発するような光の波面となる。このように、任意の光収束部３０の各位置からの光線は、光収束部３０に対応する定点から実質的に発散する光線となる。これにより、任意の光収束部３０によって、対応する定点から光が発するような光の波面を提供できる。各光収束部３０が対応する定点は互いに異なり、光収束部３０にそれぞれ対応する複数の定点の集まりによって、空間上に認識される像６が形成される。このようにして、表示部１００は、空間上に立体像を投影する。
【００２６】
本実施形態において、光収束部３０のそれぞれは、ｘ軸方向に実質的に連続して形成された多数の反射面を含む。任意の光収束部３０がそれぞれ有する反射面の反射光の光線は、光収束部３０に対応する定点から発散する方向の光線となる。例えば、光収束部３０ａが有する複数の反射面のそれぞれによる複数の反射光の光線は、定点ＰＡから発散する方向の光線となる。また、光収束部３０ｂが有する複数の反射面のそれぞれによる複数の反射光の光線は、定点ＰＢから発散する方向の光線となる。また、光収束部３０ｃが有する複数の反射面のそれぞれによる複数の反射光の光線は、定点ＰＣから実質的に発散する方向の光線となる。
【００２７】
なお、導光板７０によって導かれて導光板７０内の各位置を通過する光束は、導光板７０内の各位置と光源２０とを結ぶ方向を中心として所定値より小さい広がり角を持つ。具体的には、導光板７０内の各位置を通過する光束は、ｘｙ面内において、導光板７０内の各位置と光源２０とを結ぶ方向を中心として所定値より小さい広がり角を有する。また、導光板７０内の各位置と光源２０とを結ぶ線を含みｘｙ面に直交する面内において、導光板７０によって導かれて導光板７０内の各位置を通過する光束は、導光板７０内の各位置と光源２０とを結ぶ方向を中心として所定値より小さい広がり角を有する。光収束部３０が光源２０から離れた位置に設けられている場合、導光板７０によって導かれて光収束部３０に入射する光束は、概ねｙ軸方向を中心として広がりが小さい。したがって、例えば定点ＰＡを含みｘｚ平面に平行な面では、光収束部３０ａからの光は、実質的に１つの定点から発散する光になる。
【００２８】
図２に示されるように、光収束部３０ａ、光収束部３０ｂ及び光収束部３０ｃは、それぞれｘ軸に略平行な直線である。像６を形成する他の定点に対応する他の光収束部３０も、同様に、ｘ軸に略平行な直線に沿って実質的に連続的に形成される。このように、光収束部３０は、出射面７１に平行な面内でそれぞれ予め定められた線に沿って形成されている。そして、光収束部３０のそれぞれは、導光板７０によって導かれている光が入射し、空間上の１つの収束点から実質的に発散する方向の出射光を出射面７１から出射させる。
【００２９】
なお、導光板７０によって導かれる光がｙｚ面に沿う方向に広がりを有しない場合、上述したように、光収束部３０からの光は定点から実質的に発散する方向の光となる。一方、導光板７０によって導かれる光がｙｚ面に沿う方向に広がりを有する場合、光収束部３０の反射面で反射した光は、ｙｚ面に平行かつ出射面に平行な収束線上から実質的に発散する方向の光となる。例えば、光収束部３０ａによる光は、ＰＡを含み、ｙｚ面に平行かつ出射面に平行な線上から実質的に発散する光となる。この場合においても、出射面７１からの出射光をｘｚ面に投影した場合は実質的に広がりが小さい光束とみなすことができる。
【００３０】
図５は、像６によるオブジェクト２４０の飛び出し効果を説明する図である。図示されるように、前側像６１は、表示面２０１上に形成される。後側像６２は、表示部２００の背面２０２側の空間に形成される。前側像６１と後側像６２とは、接続線６３等によって接続されている。これにより、表示装置１０の観察者には、表示面２０１におけるオブジェクト２４０以外の領域が、仮想面５００で示す位置に存在するかのように認識され、オブジェクト２４０が表示部２００の物理的な表示面２０１から飛び出しているように認識される。
【００３１】
具体的に説明すると、観察者には、表示領域２４２が実質的に表示面２０１の位置に存在するように見える。これは、導光板７０により形成される像６のうち、表示面２０１より後側に位置する接続線６３や後側像６２は、ｘｙ面内において表示領域２４２とは重なっていないため、観察者は、ｚ軸方向における表示面２０１の位置に表示領域２４２が実際に存在すると認識できるからである。図１等に示されるように、表示領域２４２と表示領域２４１の境界に前側像６１が形成され、接続線６３、接続線６４を含む複数の接続線が、背面２０２側の空間上に位置する後側像６２に向かって延びるように形成される。そのため、観察者は、これらの接続線に影響されて、表示領域２４１の背景領域が、仮想面５００で示すようにｚ軸マイナス方向の位置にシフトしているように認識される。
【００３２】
これに対し、オブジェクト２４０のように明瞭な画像は、物理的な表示面２０１の位置に存在するように認識される。そのため、仮想面５００と表示面２０１との差５１０だけ、オブジェクト２４０がｚ軸プラス方向に飛び出しているように認識される。
【００３３】
この表示効果を高めるため、表示部２００は、表示領域２４１内のオブジェクト２４０以外の領域である背景領域よりシャープネスが高い画像を、表示領域２４２に表示する。例えば、図１に示されるメッシュ等のように、エッジのある画像を表示領域２４２に表示する。これにより、オブジェクト２４０以外の背景の表示面が、表示領域２４２、前側像６１、接続線６３、後側像６２の並びに従って凹んでいるように認識され易くなる。なお、この表示効果を高めるためには、像６のシャープネスが、表示領域２４１内のオブジェクト２４０以外の領域である背景領域のシャープネスより高いことが望ましい。
【００３４】
なお、シャープネスは、光強度の空間的な変化度合いを表す。表示部２００の表示領域内のシャープネスは、表示領域における輝度値の空間的な変化量であってよい。シャープネスは、表示領域内において、最大輝度値と最低輝度値との間で輝度が急峻に変わるか、徐々に変わるかを示す任意の指標であってよい。２次元画像のシャープネスは、エッジ量、ぼけ量、コントラスト量、空間周波数等の様々な評価値に基づいて表すことができる。
【００３５】
像６のシャープネスは、光強度が最大値の半分となる位置の幅（半値全幅）により評価されてよい。表示部２００の表示領域２４１内のシャープネスを、像６のシャープネスと比較する場合は、表示部２００の表示領域２４１内において輝度値の分布における半値全幅により、表示領域２４１内のシャープネスを評価してよい。なお、表示領域２４１のシャープネスは、表示領域２４１内の評価対象の領域毎によって異なる評価値が算出される場合がある。この場合、領域毎のシャープネスの評価値の平均値を比較対象として採用してよい。その他、領域毎のシャープネスの評価値の最大値や、シャープネスの評価値の最頻値を比較対象として採用してよい。
【００３６】
なお、表示部２００は、オブジェクト２４０を、表示面上における表示領域２４１と表示領域２４２との境界に重ならないように表示領域２４１内に表示することが好ましい。例えば、表示部２００は、表示領域２４１と表示領域２４２との境界に重ならない範囲で、オブジェクト２４０を移動させてよい。すなわち、オブジェクト２４０の移動範囲は、表示領域２４１と表示領域２４２との境界内に制限されてよい。観察者は、画像のシャープネスが高いほど、その位置を明確に認識できる。したがって、オブジェクト２４０が境界に重なると、境界付近の表示面２０１の位置を観察者が明確に認識できるので、オブジェクト２４０の飛び出し効果が妨げられる。そのため、オブジェクト２４０を表示領域２４１と表示領域２４２との境界に重ならないように表示することが好ましい。
【００３７】
また、表示部２００は、オブジェクト２４０を、ｘｙ面内において像６と重ならないように表示することが好ましい。特に、表示部２００は、表示面２０１より後側に位置する接続線６３や後側像６２とオブジェクト２４０とがｘｙ面内において重ならないように、オブジェクト２４０を表示することが好ましい。例えば、表示部２００は、ｘｙ面内において後側像６２より内側の領域内で、オブジェクト２４０を移動させることが好ましい。このように、オブジェクト２４０の移動範囲は、後側像６２の内側に制限されることが好ましい。像６を形成する光は、表示部２００より手前に位置する表示部１００から発せられるので、オブジェクト２４０がｘｙ面内において像６と重なる位置に表示されてしまうと、オブジェクト２４０と像６との前後関係に矛盾が生じ、オブジェクト２４０の飛び出し効果が妨げられるためである。
【００３８】
なお、表示部２００は、像６が空間に形成されている場合に、像６が空間に形成されいない場合より、オブジェクト２４０を大きく表示してよい。例えば、表示装置１０は、２次元画像を表示する第１表示モードと、像６を形成してオブジェクトの飛び出し演出を行う第２表示モードを有しており、表示モードが第１表示モードから第２表示モードに切り替わったことに応じて、表示部２００はオブジェクト２４０の大きさを拡大して表示してよい。これにより、オブジェクト２４０の飛び出し演出効果をより強調できる場合がある。また、表示部２００は、表示モードが第１表示モードから第２表示モードに切り替わったことに応じて、オブジェクト２４０の表示許容範囲を、表示領域２４１と表示領域２４２との境界内に制限してよい。また、表示部２００は、表示モードが第１表示モードから第２表示モードに切り替わったことに応じて、オブジェクト２４０の表示許容範囲を、ｘｙ面内における後側像６２より内側の範囲内に制限してよい。
【００３９】
なお、表示装置１０においては、後側像６２Ｂは、出射面７１に平行な面内において、表示面２０１上における表示領域２４１と表示領域２４２との境界より内側に形成される。他の表示形態においては、後側像６２Ｂを、出射面７１に平行な面内において、表示面２０１上における表示領域２４１と表示領域２４２との境界と同じ位置に形成してもよい。
【００４０】
また、本実施形態の表示装置１０は、前側像６１を、ｚ方向において表示面２０１の近傍の位置に形成する。前側像６１は、ｘｙ面内において表示領域２４１と表示領域２４２と境界に位置する像である。なお、表示装置１０は、ｘｙ面内において前側像６１より外側に位置する像を形成してもよいが、この場合は、ｚ方向において表示面２０１の近傍の位置に形成することが望ましい。ｚ方向において表示面２０１の近傍から離れた位置に形成される像は、ｘｙ面内において少なくとも表示領域２４２と重ならない位置に形成することが望ましいが、ｚ方向において表示面２０１の近傍の位置に形成される像は、ｘｙ面内において表示領域２４２と重なっていても問題はない。
【００４１】
図６は、表示装置１０を備える遊技機９０を概略的に示す正面図である。遊技機９０は、例えば弾球遊技機である。表示装置１０は、表示面２０１及び出射面７１が遊技者へ向くように、遊技盤９１に取り付けられる。表示装置１０は、遊技の状態に応じた演出を行う。表示装置１０は、遊戯の状態に応じた図柄の画像や動画グラフィック等を表示する。表示装置１０は、遊戯の状態に応じて、上述したオブジェクト２４０の演出表示の切り替えを行ってよい。例えば、表示装置１０は、遊技球が入賞装置９８に入ったことが検出されると、上述したオブジェクト２４０の演出表示を開始してよい。
【００４２】
表示装置１０によれば、遊技機９０を大型化することなく、飛び出し表示効果を得ることができる。また、表示装置１０によれば、遊技機９０の近くで利用する遊技者に飛び出し表示効果を提供することができる。なお、表示装置１０は、弾球遊技機以外の様々な遊技機に適用できる。また、表示装置１０の適用先は、遊技機に限られないことは言うまでもない。
【００４３】
なお、表示部１００は、表示部２００の背面２０２側に設けられてもよい。この場合、表示部１００の光収束部３０のうち一部は、表示面２０１の近傍に前側像を形成する必要がある。すなわち、光収束部３０のうち一部は、出射面７１よりｚ軸プラス側に前側像を形成する必要がある。これを実現するためには、前側像を形成する光収束部３０において、空間上の１つの収束点又は収束線に実質的に収束する方向の出射光が出射面７１から出射するように、光学面を設ければよい。なお、表示部１００を表示部２００の背面２０２側に設ける場合、表示部２００として実質的に透光性を有する表示装置を適用する必要がある。実質的に透光性を有する表示装置としては、透明液晶等の透光性の表示デバイスを用いた表示装置を例示できる。
【００４４】
図７は、表示装置１０の変形例としての表示装置１０Ａを示す。図７（ａ）は、表示装置１０Ａにより提示される像を概略的に示す。図７（ｂ）は、表示装置１０ＡのＢＢ断面を概略的に示す。表示装置１０Ａにおいて、導光板により形成される像６Ａは、表示装置１０が形成する像６と異なる。また、表示部２００は、表示面２０１の全体に背景画像を表示する。これらの点を除いて、表示装置１０と同様の機能及び構成を有する。
【００４５】
前側像６１Ａ及び後側像６２Ａは、直線状の像である。後側像６２Ａは、前側像６１Ａと実質的に平行である。図７（ｂ）に示されるように、前側像６１Ａは、表示面２０１の近傍に形成される。また、後側像６２Ａは、表示部２００の表示面２０１とは反対側の空間に形成される。接続線６４Ａを含む複数の接続線が、前側像６１Ａと後側像６２Ａとを接続する。表示部１００Ａによっても、表示面２０１の近傍から、奥行き感のある立体像６Ａを形成できる。そのため、上述したオブジェクト２４０の飛び出し表示効果と同様の効果が得られる。なお、表示部２００は、前側像６１Ａより外側の表示領域に、表示領域２４２と同様に、シャープネスが高い画像を表示してもよい。
【００４６】
図８は、表示装置１０の変形例としての表示装置１０Ｂを示す。図８（ａ）は、表示装置１０Ｂにより提示される像を概略的に示す。図８（ｂ）は、表示装置１０ＢのＢＢ断面を概略的に示す。表示装置１０Ｂにおいて、導光板により形成される像６Ｂは、表示装置１０が形成する像６と異なる。また、表示部２００は、表示面２０１の全体に背景画像を表示する。これらの点を除いて、表示装置１０と同様の機能及び構成を有する。
【００４７】
像６Ｂにおいて、後側像６２Ｂは、ｘｙ面内において前側像６１と同じ位置にある。この点を除いて後側像６２Ｂは、後側像６２と同様の形状を有する。接続線６３Ｂ及び接続線６４Ｂを含む複数の接続線は、前側像６１と後側像６２Ｂとを接続する。表示部１００Ｂによっても、表示面２０１の近傍から、奥行き感のある立体像６Ｂを形成できる。そのため、上述したオブジェクト２４０の飛び出し表示効果と同様の効果が得られる。なお、表示部２００は、前側像６１より外側の表示領域に、表示領域２４２と同様に、シャープネスが高い画像を表示してもよい。
【００４８】
図９は、表示装置１０の変形例としての表示装置１０Ｃを示す。図９（ａ）は、表示装置１０Ｃにより提示される像を概略的に示す。図９（ｂ）は、表示装置１０ＣのＢＢ断面を概略的に示す。表示装置１０Ｃにおいて、導光板により形成される像６Ｃが、表示装置１０が形成する像６と異なる。また、表示部２００は、表示面２０１の全体に背景画像を表示する。これらの点を除いて、表示装置１０と同様の機能及び構成を有する。
【００４９】
像６Ｃにおいて、前側像６１Ｃ及び後側像６２Ｃは、矩形ではなく、楕円形の像である。前側像６１Ｃは、前側像６１と同様に、表示面２０１上に形成される。後側像６２Ｃは、ｘｙ面内において前側像６１Ｃより内側にある。また、接続線６３Ｃ及び接続線６４Ｃを含む複数の接続線が、前側像６１Ｃと後側像６２Ｃとを接続する。表示部１００Ｃによっても、表示面２０１の近傍から、奥行き感のある立体像６Ｃを形成できる。そのため、上述したオブジェクト２４０の飛び出し表示効果と同様の効果が得られる。なお、表示部２００は、前側像６１Ｃより外側の表示領域に、表示領域２４１と同様に、シャープネスが高い画像を表示してもよい。
【００５０】
なお、表示部１００に代えて、視差画像によって擬似的に立体像を提供する２眼式又は多眼式の表示部を適用してよい。例えば、導光板によって導かれている光を偏向して、２眼式又は多眼式の視差画像を導光板上に形成する光を出射面７１から出射させる偏向部を導光板に設けてよい。２眼式又は多眼式の表示部を導光板を用いて実現する場合、右眼用の視差画像を導光板上に表示する第１の反射面群と、左眼用の視差画像を導光板上に表示する第２の反射面群とを設けることで、右眼用及び左眼用の視差画像を提供してよい。
【００５１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５２】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５３】
６  像
１０  表示装置
２０  光源
３０  光収束部
６１  前側像
６２  後側像
６３、６４  接続線
７０  導光板
７１  出射面
７２  背面
７３、７４、７５、７６  端面
９０   遊技機
９１  遊技盤
９８  入賞装置
２０１  表示面
２０２  背面
５００  仮想面
５１０  差
１００、２００  表示部
２４０  オブジェクト
２４１、２４２  表示領域
【図１】
0006786822.tif 000002
【図２】
0006786822.tif 000003
【図３】
0006786822.tif 000004
【図４】
0006786822.tif 000005
【図５】
0006786822.tif 000006
【図６】
0006786822.tif 000007
【図７】
0006786822.tif 000008
【図８】
0006786822.tif 000009
【図９】
0006786822.tif 000010